(57)【要約】  【課題】  エアドームの本体部内の圧が下がった場合でも開口からの人の出入が行いづらくならないようにする。  【解決手段】  膜材によって形成された送気によってドーム状を保つ本体部１１０の側面に設けられた出入用の開口１２０の周囲に、支持枠１６０が取付けられている。支持枠１６０は、自立可能で、内部の圧が下がって本体部１１０が潰れた場合にでも開口１２０の形状を維持できる程度の硬さを持っている。この支持枠１６０は、中空で空気を充填することで所定の硬さを有するものとなる。【選択図】  図１
2005351033.tif 000002
【特許請求の範囲】
【請求項１】
膜材によって略ドーム形状に形成された本体部の少なくとも一部にその内部への出入口となる開口を備えているとともに、その開口を塞ぐことのできる膜材によって形成された扉を備えており、前記本体部の内部に送風してその内部を高圧化することで前記本体部の形状が保たれるようになっているエアドームであって、
前記開口の周囲の少なくとも一部に、その内部の圧が低圧化したことで前記本体部の形状が保たれなくなった場合でも前記開口の形状を保つ機能を有する支持手段が設けられている、
エアドーム。
【請求項２】
前記支持手段は、当該エアドームの使用時に前記開口の形状を保てる程度に硬くなっているとともに、前記開口の両側に沿うようにして前記本体部に固定され、且つ２本の柱状とされた、自立する支持枠を含んでいる、
請求項１記載のエアドーム。
【請求項３】
前記支持手段は、当該エアドームの使用時に前記開口の形状を保てる程度に硬くなっているとともに、前記開口の両側と上部に沿うようにして前記本体部に固定され、且つ略Ｕ字乃至略コの字形状とされた、自立する支持枠を含んでいる、
請求項１記載のエアドーム。
【請求項４】
前記支持手段は、当該エアドームの使用時に前記開口の形状を保てる程度に硬くなっているとともに、前記開口の周囲に沿うようにして前記本体部に固定され、且つ略矩形、略円形、乃至略楕円形とされた、自立する支持枠を含んでいる、
請求項１記載のエアドーム。
【請求項５】
前記支持枠は、膜材で中空に構成されており、その内部に空気を充填することでその形状が維持されるものとされてなる、
請求項２〜４のいずれかに記載のエアドーム。
【発明の詳細な説明】
【技術分野】
【０００１】
本発明は、エアドームに関する。
【背景技術】
【０００２】
その内部に人が入り、例えば遊具として、或いはその内壁に光を投影して簡易的なプラネタリウムとして使用されるエアドームが知られている。
エアドームは、一般的に、膜材によって略ドーム形状に形成された本体部の外縁の少なくとも一部にその内部への出入口となる開口を備えている。エアドームは、本体部の内部に送風して本体部の内部を高圧化することで本体部の形状が保たれるようになっている。
【０００３】
このエアドームは、上述したように、本体部の内部を外気よりも若干高圧化することでその形状を保つようになっている。しかし、エアドームは、その本体部の内部の空間に人が出入して使用するものなので、開口を開放したままにしておくと開口から外部へ空気が漏れてしまう。これを放置すると、エアドームはその形状を保つことができなくなるので、エアドームの本体部に設けられた開口には、その開口を塞ぐことのできる膜材によって形成された扉が設けられている。開口を出入する人は、その膜材を例えば捲るなどして、その出入を行う。
【０００４】
しかしながら、上述の如き扉があったとしても、扉からの人の出入が頻繁になると、本体部の内部から外部への空気漏れが生じ、本体部の全体が徐々に潰れてくる。そうなると、開口がだんだん本体部の内側に向かって倒れ込んでいき、開口からの人の出入が行いづらくなる。
【発明の開示】
【発明が解決しようとする課題】
【０００５】
本発明は、エアドームにおけるかかる不具合を解消することを課題とするものである。より詳細には、本発明は、エアドームの本体部内の圧が下がった場合でも開口からの人の出入が行いづらくならないようにするための技術を提供することをその課題とする。
【課題を解決するための手段】
【０００６】
上述の課題を解決するための本発明は、以下のようなものである。
本発明は、膜材によって略ドーム形状に形成された本体部の少なくとも一部にその内部への出入口となる開口を備えているとともに、その開口を塞ぐことのできる膜材によって形成された扉を備えており、前記本体部の内部に送風してその内部を高圧化することで前記本体部の形状が保たれるようになっているエアドームである。
このエアドームの前記開口の周囲の少なくとも一部には、その内部の圧が低圧化したことで前記本体部の形状が保たれなくなった場合でも前記開口の形状を保つ機能を有する支持手段が設けられている。
本発明のエアドームは、上述の如き支持手段を備えている。かかる支持手段は、本体部の形状全体が保たれなくなった場合でも、開口の形状を保つものである。したがって、このエアドームは、本体部内部の圧が下がって本体部全体が潰れてきた場合であっても開口の形状が保たれるので、本体部内部の圧が仮に下がったとしても、開口からの人の出入が行いづらくならない。
【０００７】
上述の機能を有する限り、支持手段の形状、構造には、特に制限がない。開口の本体部に対する位置や、開口の形状等を考慮して、支持手段の形状、構造を適宜変更することができる。なお、開口は、出入の行い易さを考慮して、本体部の外縁、又は外縁の近辺に設けられる場合が多い。
前記支持手段は、例えば、前記開口の両側に沿うようにして前記本体部に固定され、且つ２本の柱状とされた、自立する支持枠を含んでいてもよい。
前記支持手段は、また、前記開口の両側と上部に沿うようにして前記本体部に固定され、且つ略Ｕ字乃至略コの字形状とされた、自立する支持枠を含んでいてもよい。
前記支持手段は、また、前記開口の周囲に沿うようにして前記本体部に固定され、且つ略矩形、略円形、乃至略楕円形とされた、自立する支持枠を含んでいてもよい。
上述の支持枠は、当該エアドームの使用時に前記開口の形状を保てる程度に硬くなっている。『エアドームの使用時に前記開口の形状を保てる程度に硬くなっている』とは、支持枠がそもそもある程度固い素材でできている場合と、必要に応じて硬くすることができる場合の双方を含む。後者の例として、膜材で中空に構成され、その内部に空気を充填することでその形状が維持されるようになっている支持枠を挙げることができる。後者のようにすると、支持枠がある程度の硬さと柔らかさを兼ね備えたものとなるので、変形の生じる本体部に対する支持枠の追従性が良くなるという利点がある。また、使用しないときに支持枠を小さくできるので収納に便利であるという利点もある。
中空の支持枠には、空気の代わりに水などの液体を充填することも可能であるが支持枠の構成自体には特に変化はない。
なお、支持枠は、本体部の下端、例えば本体部の下端や本体部の底面の外周部分に固定しておくことができる。
支持枠は、また、本体部に対して着脱自在にすることもできる。
【発明を実施するための最良の形態】
【０００８】
以下、本発明の好ましい一実施形態を、図面を参照しながら説明する。
【０００９】
図１に、本実施形態によるエアドーム１００の正面図を、図２に同平面図を、図３に同側面図を示す。
このエアドーム１００は、本体部１１０を備えている。本体部１１０には、開口１２０が設けられており、開口１２０にはそれを覆う扉１３０が設けられている。また、本体部１１０の下方には、エア供給路１４０が設けられている。エア供給路１４０は、図外の送風機に接続された送風管１５０と接続されている。
【００１０】
本体部１１０は、膨らませた状態でドーム状となるようにして、開口１２０を除いて気密に構成されている。
この実施形態における本体部１１０は、側面部１１１と、底面部１１２を備えている。
本体部１１０は、側面部１１１、底面部１１２ともに、通気性のない樹脂製のシートである膜材によって構成されている。
側面部１１１は、この実施形態では、図２の一部透視図を含む平面図に示したように、２辺を外側にやや膨らませた細長い２等辺三角形様の形状とされた複数の膜片１１１Ａを、そのやや膨らませた辺同士を接着して構成されている。他方、底面部１１２は円形である。底面部１１２は、側面部１１１の下端と接着されている。
なお、この実施形態における本体部１１０は、底面部１１２の直径が４ｍ、膨らませた状態での全高が２ｍとされている。
【００１１】
開口１２０は、側面部１１１の下端近くの一部をくり貫いて形成されている。必ずしもこの限りではないが、この実施形態では円形である。開口１２０は、人が本体部１１０の内部に出入するための出入口に当たるものであり、人が通れる程度の大きさとされている。この実施形態における開口１２０は、その直径が１２０ｃｍ程度とされている。
【００１２】
扉１３０は、開口１２０を開状態、或いは閉状態とするものであり、この実施形態では、略半円形の２枚の扉片１３１により形成されている。扉片１３１は、開口１２０を２等分した半円よりも一回り大きな略半円形状をしている。各扉片１３１は、その弧の部分を開口１２０の外周に沿う側面部１１１の内側面に接着することにより、開口１２０に取付けられている。
開口１２０に取付けられた扉片１３１は、その直線の部分（直径の部分）が、この実施形態では幅６０ｃｍほどずつ重ね合わせられた状態となる。その直線の部分を相互に押し広げることで、開口１２０は開き、人が出入できるようになる。
【００１３】
エア供給路１４０は、本体部１１０に空気を送り込むための送風路である。エア供給路１４０は、開口１２０の反対側で送風管１５０と接続されている。なお、送風管１５０は、断面円形、エア供給路１４０は、断面略半円形とされている。
エア供給路１４０は、本体部１１０の側面部１１１の下端を開口１２０の部分を除いて取囲むようにして配されている。エア供給路１４０の本体部１１０の側面部１１１と当接する面の一部には、エア供給路１４０内を送られて来た空気を本体部１１０に導くための導入孔１４１が設けられている。この導入孔１４１は、この実施形態では、開口１２０の両側に設けられている。導入孔１４１には、メッシュ状のフィルタが設けられていてもよい。この実施形態では、そうなっている。
送風管１５０、エア供給路１４０、導入孔１４１を介して本体部１１０の内部に空気を送り込むことで、本体部１１０はドーム形状を保つことになる。
【００１４】
本体部１１０の開口１２０の周囲には、支持枠１６０が設けられている。この支持枠１６０は、本体部１１０と同様の膜材によって構成されている。
支持枠１６０は、中空であり、その内部に空気を入れることで所定の硬さを持ち、その結果、その形状を維持できるものとなっている。支持枠１６０には、必要に応じて空気の出し入れを行うための注入口が設けられているが、その図示は省略する。支持枠１６０には、エアドーム１００の使用時に開口の形状を保てる程度に硬くなるように空気を入れる。より詳細には、本体部１１０の圧が下がって本体部１１０の側面部１１１が落ち込んで来た場合でも開口１２０の形状を人の出入が難しくならない程度に保てる程度の硬さになるように、支持枠１６０には空気を充填しておく。
この実施形態における支持枠１６０は、開口の両側と上部に沿うような、略Ｕ字形状となっている。
また、この実施形態における支持枠１６０は、本体部１１０に対して着脱自在になっている。具体的には、図４に示したような構成とされた、本体部１１０の側面部１１１ないしエア供給路１４０に取付けられた４つのベルト１６１で、本体部１１０に対して着脱自在に固定できるようになっている。このベルト１６１は、その中央よりの一部１６１Ａが本体部１１０の側面部１１１ないしエア供給路１４０に対して固定されており、且つその両端１６１Ｂを支持枠１６０に対して巻き付けられるようになっている。ベルト１６１の両端１６１Ｂには、ベロクロテープ１６１Ｃが取付けられており、支持枠１６０に巻き付けたベルト１６１の両端１６１Ｂをベロクロテープ１６１Ｃで固定することで、支持枠１６０の固定が行われる。
【００１５】
上述のエアドームは、以下のように変形することができる。
＜変形例１＞
変形例１におけるエアドームの開口１２０付近の正面図を図５に示す。なお、変形例１における変形点は、開口１２０の形状、扉片１３１の形状、及び支持枠１６０の形状のみであり、その他の点については上述の場合と変わりがない。
この変形例におけるエアドームの開口１２０は、矩形形状となっている。
また、この変形例におけるエアドームの扉片１３１の形状は、開口１２０を縦に半分にして作られる矩形よりも一回り大きい矩形形状となっている。
また、この変形例における支持枠１６０は、円柱形状とされ、開口１２０の両側に沿うように２本配されている。２本の円柱形状とされた支持枠１６０は、図５に示すように、それぞれ２箇所でベルト１６１によって本体部１１０に固定されている。
＜変形例２＞
変形例２におけるエアドームの開口１２０付近の正面図を図６に示す。なお、変形例２における変形点は、支持枠１６０の形状のみであり、その他の点については上述の場合と変わりがない。
また、この変形例における支持枠１６０は、環状の略円形状とされ、開口１２０の周囲に沿うようにして配されている。支持枠１６０は、図６に示すように、４箇所でベルト１６１によって本体部１１０に固定されている。
なお、かかる支持枠１６０は、図７に示したように環状の楕円形状とすることもできる。
また、図８に示したように、変形例２のエアドームの開口１２０の形状が変形例１の開口１２０と同様に矩形である場合には、支持枠１６０の形状を環状の矩形形状とすることができる。
＜変形例３＞
上述したエアドームの本体部１１０は、側面部１１１と、底面部１１２を備えたものであった。ここで、本体部１１０は、底面部１１２を備えないものに変形できる。変形例３によるエアドームは、その本体部１１０を、エアドームを設置する地面、床面などにその側面部１１１の下端部が多少余るようにして配置し、側面部１１１の下端部の余った部分に重りを載せるなどして、側面部１１１の下端部を地面、床面などに密着させた状態で用いるものとされる。なお、変形例３のエアドームは、その他の部分では上述したものと変わらない。
【図面の簡単な説明】
【００１６】
【図１】本発明の一実施形態によるエアドームの構成を示す正面図。
【図２】図１に示したエアドームの平面図。
【図３】図１に示したエアドームの側面図。
【図４】図１で示したベルトの構成を示す斜視図。
【図５】変形例１のエアドームの開口付近を示す正面図。
【図６】変形例２のエアドームの開口付近を示す正面図。
【図７】変形例２のエアドームの他の例の開口付近を示す正面図。
【図８】変形例２のエアドームの他の例の開口付近を示す正面図。
【符号の説明】
【００１７】
１００  エアドーム
１１０  本体部
１１１  側面部
１１２  底面部
１２０  開口
１３０  扉
１４０  エア供給路
１６０  支持枠
１６１  ベルト
【図１】
2005351033.tif 000003
【図２】
2005351033.tif 000004
【図３】
2005351033.tif 000005
【図４】
2005351033.tif 000006
【図５】
2005351033.tif 000007
【図６】
2005351033.tif 000008
【図７】
2005351033.tif 000009
【図８】
2005351033.tif 000010